(57)【特許請求の範囲】
【請求項１】
装置に対して着脱可能であり、紙葉類を重ねて収納するとともに、収納した紙葉類を重ねた方向に移動可能な紙葉類収納カセットにおいて、
紙葉類の移動を任意の位置に固定する固定手段と、
紙葉類の移動速度を減速する減速手段を設け、
カセットが装置から取り外された状態において、前記固定手段が紙葉類の移動を解除可能に固定し、該固定手段の固定が解除されると紙葉類が下方向に移動可能となり、前記減速手段はこの紙葉類の下方向への移動速度を減速し、
カセットが装置に装着された際、その装着動作に連動して前記固定手段と前記減速手段が解除されることを特徴とする紙葉類収納カセット。
【発明の詳細な説明】
【０００１】
【発明の属する技術分野】
本発明は、紙葉類収納カセットに関し、特に金融機関等に設置される自動取引装置に装着され装置に対して紙幣を補充、回収する紙幣補充回収カセット等の紙葉類収納カセットに関する。
【０００２】
【従来の技術】
従来、自動取引装置に装着される紙幣補充回収カセットは、収納する紙幣が載置されるステージは上下方向に移動可能になっており、ステージの上方に紙幣を自動取引装置へ繰出すための繰出し部が設けられている。紙幣補充回収カセットが自動取引装置へ装着されて、カセットから装置へ紙幣を繰出す場合は、ステージを上方へ移動させてステージ上の紙幣の最上部を繰出し部の繰出しローラに圧接し、この状態で繰出しローラを駆動することにより紙幣が最上部から繰り出される。
【０００３】
【発明が解決しようとする課題】
しかしながら従来の紙幣補充回収カセットにおいては、自動取引装置から取り外されている状態では、紙幣が収納されている場合、紙幣の重量およびステージの自重によりステージが下降し、紙幣と繰出し部の間に空間を生じる。そのため例えば、紙幣補充回収カセットを単独で輸送するような場合、カセットの振動や衝撃により、中に収納された紙幣が大きく揺れて正規の収納位置からずれたり、また収納状態に乱れが発生したりする。
【０００４】
そして紙幣の収納状態が乱れたまま紙幣補充回収カセットを自動取引装置に装着して紙幣の補充を開始すると、紙幣補充回収カセットから紙幣を繰出す際に、繰出し不良が発生するおそれがある。紙幣補充回収カセットは管理上施錠されており、特定の管理者しか解錠できないので、紙幣の収納状態の乱れを直すのは実際問題としてできない。
【０００５】
【課題を解決するための手段】
上記課題を解決するために本発明は、装置に対して着脱可能であり、紙葉類を重ねて収納するとともに、収納した紙葉類を重ねた方向に移動可能な紙葉類収納カセットにおいて、紙葉類の移動を任意の位置に固定する固定手段と、紙葉類の移動速度を減速する減速手段を設け、カセットが装置から取り外された状態において、前記固定手段が紙葉類の移動を解除可能に固定し、該固定手段の固定が解除されると紙葉類が下方向に移動可能となり、前記減速手段はこの紙葉類の下方向への移動速度を減速し、カセットが装置に装着された際、その装着動作に連動して前記固定手段と前記減速手段が解除されることを特徴とする。
【０００６】
上記構成を有する本発明によれば、紙葉類収納カセットが装置から取り外された状態において紙葉類の移動を固定する固定手段を設けたので、固定手段で紙葉類を圧接挟持することにより、紙葉類収納カセットが単独で輸送されるような場合でも紙葉類の収納状態が乱されることはなくなる。
【０００７】
また紙葉類の移動速度を減速する減速手段を設け、紙葉類収納カセットが装置から取り外された状態で固定手段が解除された場合に、減速手段が紙葉類の下方向への移動を減速するので、紙葉類の急速な落下を防止することができる。
【０００８】
【発明の実施の形態】
以下、本発明の実施の形態を図面にしたがって説明する。図１は本発明の第１の実施の形態の紙葉類収納カセットを示す説明図、図２は実施の形態の紙葉類収納カセットが装着される自動取引装置を示す説明図である。なお以下に説明する実施の形態においては、紙葉類収納カセットとして、自動取引装置で使用される紙幣補充回収カセットを例にして説明する。まず図２により自動取引装置について説明する。
【０００９】
図２において、紙葉類収納カセットとしての紙幣補充回収カセット１０は、自動取引装置１に内蔵される紙幣入出金機２に着脱可能に装着され、紙幣を収納して紙幣入出金機２に対して紙幣の補充・回収を行う。紙幣補充回収カセット１０内には、ステージ１１が上下動可能に設けられ、紙幣Ｐはこのステージ１１上に載置される。
【００１０】
紙幣補充回収カセット１０内にはさらに、ステージ１１を上下動させる動力源を自動取引装置１から入力するためのカップリング１２、紙幣Ｐが収納される紙幣収納部１３、紙幣Ｐを繰出す繰出し部１４、紙幣入出金機２内の紙幣を内部に引き入れる集積部１５、１６、集積部１５から回収された紙幣Ｐを収納する回収部１７、および紙幣Ｐの補充の際に出金用紙幣として不適と判定された紙幣を集積部１６から回収して収納するリジェクト紙幣収納部１８が具備されている。
【００１１】
図１において、ステージ１１はステージ駆動伝達機構により上下動される。ステージ駆動伝達機構は、ステージ１１に固定したクランプ１９ａと、クランプ１９ａの上下に接続した駆動ベルト１９ｂと、駆動ベルト１９ｂを巻き掛けたギア１９ｃおよびプーリ１９ｄ、１９ｅ、１９ｆ、１９ｇ、１９ｈ、１９ｉ、１９ｊと、ギア１９ｃと噛み合うはすば歯車１９ｋと、はすば歯車１９ｋと噛み合うはすば歯車１９ｌと、はすば歯車１９ｌを軸着した上述のカップリング１２とで構成される。
【００１２】
上記構成により、紙幣補充回収カセット１０のカップリング１２に外部から動力が入力されると、カップリング１２の回転がはすば歯車１９ｌとはすば歯車１９ｋを介してギア１９ｃに伝達され、ギア１９ｃが回転することにより駆動ベルト１９ｂが回転する。駆動ベルト１９ｂの回転により、クランプ１９ａで駆動ベルト１９ｂに固定されたステージ１１が上下動する。カップリング１２が外部の駆動源との接続を切り離されると、ステージ１１は自重および紙幣Ｐの重量で下方に落下する。紙幣補充回収カセット１０が自動取引装置１に装着されている時には、カップリング１２は自動取引装置１側の図示しないカップリングと嵌合し、自動取引装置１側の制御により動力源を入力されるようになっている。
【００１３】
プーリ１９ｈの同軸上にはラチェットホイール２０が固定されている。またラチェット２１がカセット１０のフレームに支点２２を中心に回転可能に取付けられ、ラチェット２１の先端に設けられた係合部２３がラチェットホイール２０に係合可能になっている。ラチェット２１の支点２２より係合部２３側には、スプリング２４の一端が取付けられ、スプリング２４はラチェット２１の支点２２より係合部２３側を上方に付勢している。ラチェットホイール２０は、ラチェット２１の係合部２３が係合している状態で、矢印Ｅ方向には回転可能であるが、矢印Ｆ方向には回転できない。
【００１４】
次に第１の実施の形態の動作を説明する。図１において、まず紙幣補充回収カセット１０を自動取引装置１から取り外した状態で紙幣補充回収カセット１０のステージ１１上に紙幣Ｐをセットする場合は、ラチェット２１の係合部２３を矢印Ｇ方向に押し下げることにより、ラチェットホイール２０との係合が外れ、プーリ１９ｈは矢印Ｆ方向にも回転可能となる。これによりステージ１１は自重もしくは紙幣Ｐの重量により下降し、ステージ１１が適当な位置まで矢印Ｂ方向に下降したところでラチェット２１の係合部２３をラチェットホイール２０に係合させる。これによりステージ１１は前記適当な位置で停止する。ステージ１１は任意の位置に停止可能である。この状態でステージ１１上に紙幣Ｐが載置される。
【００１５】
次にステージ１１上に載置された紙幣Ｐの最上部が繰出し部１４の繰出しローラ１４ａに圧接する位置までステージ１１を上方に、即ち、矢印Ａ方向に移動させる。そして紙幣Ｐがステージ１１と繰出しローラ１４ａとの間で圧接挟持された位置でステージ１１の移動を停止する。ラチェット２１の係合部２３がラチェットホイール２０に係合していることにより、ステージ１１は繰出しローラ１４ａとの間で紙幣Ｐを圧接挟持した状態で保持される。したがってこの状態で紙幣補充回収カセット１０が輸送されても紙幣Ｐの収納状態が乱されることはない。
【００１６】
次に紙幣補充回収カセット１０を自動取引装置１に装着する場合について説明する。自動取引装置１側にはラチェット２１の一端部２１ａに対応する位置にガイド部材２５が設けられており、紙幣補充回収カセット１０を矢印Ｃ方向に移動して自動取引装置１に装着すると、このガイド部材２５の傾斜部２５ａにラチェット２１の係合部２３とは反対側の一端部２１ａが当接し、この一端部２１ａが矢印Ｄ方向に押し上げられる。
【００１７】
これによりラチェット２１が支点２２を中心に反時計回り方向に回転し、図３に示すように、係合部２３がラチェットホイール２０から外れ、ラチェットホイール２０は両方向に回転可能になる。ラチェット２１の一端部２１ａは、紙幣補充回収カセット１０が自動取引装置１に装着されている間は、ガイド部材２５により押し上げられている。図３は第１の実施の形態の動作を示す説明図である。
【００１８】
また紙幣補充回収カセット１０を自動取引装置１に装着すると、カップリング１２は図示しないカップリングを介して自動取引装置１側の駆動モータと噛み合い、自動取引装置１側の制御により動力源を入力可能になる。これにより紙幣補充回収カセット１０から自動取引装置１に対して紙幣Ｐの補充が可能になると共に、自動取引装置１から紙幣補充回収カセット１０へ紙幣Ｐの回収が可能になり、自動取引装置１では顧客による取引が開始される。
【００１９】
自動取引装置１における取引が終了し、自動取引装置１から紙幣補充回収カセット１０を取り外す場合は、自動取引装置１側の制御により図示しない駆動モータが駆動されて、紙幣Ｐの最上部が繰出しローラ１４ａに圧接する位置までステージ１１が上昇される。紙幣Ｐの最上部が繰出しローラ１４ａに圧接したことが図示しない検出センサにより検出されると、前記駆動モータが停止される。駆動モータにはウォームギアが取付けられており、このウォームギアによりステージ１１は上昇した位置に保持される。
【００２０】
紙幣補充回収カセット１０はこの状態で自動取引装置１から取り外される。紙幣補充回収カセット１０を自動取引装置１から取り外すと、ラチェット２１の一端部２１ａがガイド部材２５から離れ、ラチェット２１はスプリング２４の付勢力により係合部２３がラチェットホイール２０に係合する。これによりステージ１１上の紙幣Ｐはステージ１１と繰出しローラ１４ａの間で圧接挟持される。
【００２１】
したがって一旦自動取引装置１で使用された紙幣補充回収カセット１０でも、自動取引装置１から取り外された状態で紙幣Ｐの収納状態が乱されることはない。
【００２２】
以上のように第１の実施の形態では、自動取引装置１から取り外された状態の紙幣補充回収カセット１０において、収納された紙幣がステージ１１と繰出し部１４との間で圧接挟持されているので、輸送時においても収納状態が乱されることはなくなる。またステージ１１を任意の位置で固定できるので、収納される紙幣Ｐの枚数が変わっても常に紙幣Ｐを圧接挟持することができ、運用性に優れている。
【００２３】
上記第１の実施の形態に対しては種々の変形が可能である。例えば、図４に示す変形例においては、ラチェット２１の係合部２３側に操作レバー２６が形成されている。この操作レバー２６は、ステージ１１の固定を解除する際に操作されるもので、操作レバー２６があることにより、紙幣Ｐをステージ１１上に載置する際にラチェット２１のラチェットホイール２０からの引き離しを容易に行うことができる。特に紙幣Ｐのステージ１１上への載置は図４における左側から行う場合、紙幣Ｐをセットする側からの操作が可能になり、ラチェット２１の操作はさらに容易になる。
【００２４】
また他の変形例として、図５に示すものがある。この変形例はステージ１１が下降するときの速度を減速させる手段を設けたものである。図５において、プーリ１９ｈおよびラチェットホイール２０と同軸上にギア２７が設けられている。また紙幣補充回収カセット１０のフレームにはオイルダンパ２８が設けられ、オイルダンパ２８にはギア２９が一体に設けられている。ギア２９はギア２７に噛み合い、プーリ１９ｈの回転がオイルダンパ２８に伝達されるようになっている。
【００２５】
紙幣Ｐをステージ１１上にセットする際、ラチェット２１の係合部２３をラチェットホイール２０から切り離すと、ステージ１１は自重または紙幣Ｐの重みで勢いよく落下するおそれがある。しかしながらこの変形例においては、オイルダンパ２８によりプーリ１９ｈの回転が制動されるので、ステージ１１は減速されて緩やかに降下し、たとえステージ１１の下側に操作者の手があったとしても危険を回避することができる。
【００２６】
なお上記各変形例の基本的な動作、即ち、紙幣をステージ１１上にセットする際の動作および、紙幣補充回収カセット１０を自動取引装置１に装着する際の動作は上記第１の実施の形態と同様である。
【００２７】
次に本発明の第２の実施の形態を説明する。図６は本発明の第２の実施の形態におけるステージ固定手段を示す側面図、図７は同ステージ固定手段を示す平面図である。
【００２８】
図６、図７において、第２の実施の形態の紙幣補充回収カセットには、ステージ固定手段４０が設けられている。ステージ１１を上下動させるベルト１９ｂはプーリ１９ｈに巻き掛けられ、プーリ１９ｈにはギア４１が固定されている。プーリ１９ｈおよびギア４１は紙幣補充回収カセットのフレームに回転可能に取付けられている。
【００２９】
ステージ固定手段４０は、レバー４２、レバー４３、ブラケット４４およびブラケット４５を有する。レバー４２は支点４６を中心に回転可能に紙幣補充回収カセットの図示しないフレームに取付けられており、操作部４７および係合部４８を有する。レバー４３は支点４９を中心に回転可能に紙幣補充回収カセットの図示しないフレームに取付けられ、係合部５０が先端に形成されている。
【００３０】
ブラケット４４は、側面部４４ａ、４４ｂおよび平面部４４ｃを有し、側面部４４ａ、４４ｂに貫通したシャフト５１により補充回収カセットのフレームに回転可能に取付けられている。側面部４４ａには係合孔５２、５３が形成され、係合孔５２にはレバー４２の係合部４８が入り込んでおり、また係合孔５３にはレバー４３の係合部５０が入り込んでいる。係合孔５２は係合部４８が多少移動しても干渉しない程度に大きめに形成され、係合孔５３は係合部５０の移動によりブラケット４４が追随して移動するように小さめに形成されている。
【００３１】
ブラケット４４にはギア５４がギア４１と噛み合うように回転可能に取付けられ、ギア５４にはラチェットホイール５５が一体に固定されている。またブラケット４４にはギア５６およびこれと一体のギア５７が回転可能に取付けられ、ギア５６はギア５４と噛み合っている。さらにブラケット４４にはオイルダンパ５８が取付けられ、オイルダンパ５８にはギア５９が一体に固定されている。ギア５９はギア５７と噛み合っている。したがってギア４１の回転はラチェットホイール５５に伝達されるとともに、ギア５６、５７、５９を介してオイルダンパ５８に伝達される。
【００３２】
ブラケット４５はシャフト５１に回転可能に取付けられている。ブラケット４５は、側面部４５ａ、４５ｂおよび平面部４５ｃを有し、側面部４５ａ、４５ｂに貫通したシャフト５１により紙幣補充回収カセットのフレームに回転可能に取付けられている。側面部４５ａの先端部４５ａａはレバー４２の係合部４８に当接し、係合部４８が下方に移動すると、先端部４５ａａもそれに追随して移動するようになっている。また側面部４５ｂの一端部にはラチェット部６０が形成されている。ラチェット部６０はラチェットホイール５５に噛み合い可能になっている。
【００３３】
シャフト５１にはトーションスプリング６１が巻き掛けられ、トーションスプリング６１はブラケット４４の平面部４４ｃとブラケット４５の側面部４５ｂの間に配設され、ブラケット４５の側面部４５ｂを常に図６における反時計回り方向に付勢している。トーションスプリング６１の付勢力により、ブラケット４５の側面部４５ａの先端部４５ａａは常にレバー４２の係合部４８に当接した状態にある。その他の構成は前述の第１の実施の形態と同様である。
【００３４】
次に第２の実施の形態の動作を図２を援用して説明する。まず紙幣補充回収カセット１０を自動取引装置１から取り外した状態で紙幣補充回収カセット１０のステージ１１上に紙幣Ｐをセットする場合は、レバー４２の操作部４７を上方へ上げることによりレバー４２は支点４６を中心に図６における時計回り方向に回転し、レバー４２の係合部４８が下がり、ブラケット４５の側面部４５ａの先端部４５ａａが押し下げられる。ブラケット４５はトーションスプリング６１の付勢力に抗してシャフト５１を中心に図６における時計回り方向に回転し、ラチェット部６０がラチェットホイール５５から外れる。これによりプーリ１９ｈは回転可能となる。
【００３５】
ラチェット部６０がラチェットホイール５５から外れたことにより、ステージ１１は自重もしくは紙幣Ｐの重量により落下しようとするが、プーリ１９ｈの回転がギア４１、５４、５６、５７、５９を介してオイルダンパ５８に伝わり、ステージ１１の落下速度が減速される。ステージ１１が適当な位置まで下降したところでレバー４２を持ち上げるのを止めると、ブラケット４５は元の位置（図６に示す位置）に戻り、ラチェット部６０はラチェットホイール５５に係合する。これによりステージ１１は前記適当な位置で停止し、この状態でステージ１１上に紙幣Ｐが載置される。
【００３６】
紙幣Ｐが載置された後、ステージ１１上の紙幣Ｐの最上部が繰出し部１４に圧接する位置までステージ１１を上方に移動させる。そして紙幣Ｐがステージ１１と繰出し部１４との間で圧接挟持された位置でステージ１１の移動を停止させる。ステージ１１は繰出し部１４との間で紙幣Ｐを圧接挟持した状態で保持される。したがってこの状態で紙幣補充回収カセット１０が輸送されても紙幣Ｐの収納状態が乱されることはない。
【００３７】
次に紙幣補充回収カセット１０を自動取引装置１に装着する場合について説明する。自動取引装置１側にはレバー４３の一端部４３ａに対応する位置にガイド部材６２が設けられており、紙幣補充回収カセット１０を自動取引装置１に装着すると、このガイド部材６２によりレバー４３の一端部４３ａが押し下げられる。
【００３８】
これによりレバー４３が支点４９を中心に図６における時計回り方向に回転し、係合部５０がブラケット４４の側面部４４ａを押し上げる。これによりブラケット４４は、シャフト５１を中心に図６における反時計回り方向に回転し、ブラケット４４に取付けられたギア５４がプーリ１９ｈと同軸上のギア４１から離れる。これによりプーリ１９ｈは負荷が掛かることなく両方向に回転可能になる。紙幣補充回収カセット１０が自動取引装置１に装着されている間、ガイド部材６２はレバー４３の一端部４３ａを押し下げている。
【００３９】
また紙幣補充回収カセット１０を自動取引装置１に装着すると、カップリング１２は図示しないカップリングを介して自動取引装置１側の駆動モータと噛み合い、自動取引装置１側の制御により動力源を入力可能になる。これにより紙幣補充回収カセット１０から自動取引装置１に対して紙幣Ｐの補充が可能になると共に、自動取引装置１から紙幣補充回収カセット１０へ紙幣Ｐの回収が可能になり、自動取引装置１では顧客による取引が開始される。紙幣補充回収カセット１０が自動取引装置１に装着されている間、自動取引装置１側の駆動モータにより駆動ベルト１９ｂが回転されるが、負荷が掛かることなくプーリ１９ｈが回転するので、駆動モータの掛かる負荷が小さくなる。
【００４０】
自動取引装置１における取引が終了し、自動取引装置１から紙幣補充回収カセット１０を取り外す場合は、自動取引装置１側の制御により駆動モータが駆動されて、ステージ１１が紙幣Ｐの最上部が繰出し部１４に圧接する位置まで上昇される。紙幣Ｐの最上部が繰出し部１４に圧接したことが、図示しない検出センサにより検出されると、駆動モータが停止される。駆動モータにはウォームギアが取付けられており、このウォームギアによりステージ１１は上昇した位置に保持される。
【００４１】
紙幣補充回収カセット１０はこの状態で自動取引装置１から取り外される。紙幣補充回収カセット１０を自動取引装置１から取り外すと、レバー４３の一端部４３ａがガイド部材から離れ、レバー４３は図６に示す元の位置に戻り、ブラケット４４も図６に示す元の位置に戻って、ギア５４がギア４１と噛み合う。これによりステージ１１上の紙幣Ｐはステージ１１と繰出し部１４の間で圧接挟持される。
【００４２】
したがって一旦自動取引装置１で使用された紙幣補充回収カセット１０でも、自動取引装置１から取り外された状態で紙幣Ｐの収納状態が乱されることはない。
【００４３】
以上のように第２の実施の形態では、上記第１の実施の形態による効果および図５に示す変形例による効果に加えて、さらに紙幣補充回収カセット１０が自動取引装置１に装着された状態において、自動取引装置１側の駆動力によってステージ１１を上下動させる際に余分な負荷が掛からないという効果を奏する。また本実施の形態のステージ固定手段４０は、紙幣補充回収カセット１０内に設けられているので、紙幣補充回収カセットを輸送する際にアタッチメント等を取付けたり、あるいは輸送後に取付けたアタッチメント等を取り外す必要がなく、また装置に対して着脱する際の操作が簡単であるので、誤操作によるオペレーションミスを防止できる。
【００４４】
本発明は上記各実施の形態に限定されるものではなく、種々の変形が可能である。例えば、ステージ上に載置した紙幣を圧接挟持するのを繰出ローラとの間で行うだけでなく、例えばカセットの上蓋との間で行うようにしてもよい。
【００４５】
【発明の効果】
以上詳細に説明したように本発明によれば、収納した紙葉類の移動を固定する固定手段を設けたので、固定手段で紙葉類を圧接挟持することにより、紙葉類収納カセット内の紙葉類の収納状態が乱されることはなくなる。
【図面の簡単な説明】
【図１】第１の実施の形態の紙葉類収納カセットを示す説明図である。
【図２】実施の形態の紙葉類収納カセットが装着される自動取引装置を示す説明図である。
【図３】第１の実施の形態の動作を示す説明図である。
【図４】第１の実施の形態の変形例を示す説明図である。
【図５】第１の実施の形態の他の変形例を示す説明図である。
【図６】第２の実施の形態のステージ固定手段を示す側面図である。
【図７】第２の実施の形態のステージ固定手段を示す平面図である。
【符号の説明】
１  自動取引装置
１０  紙幣補充回収カセット
１１  ステージ
１４ａ  繰出しローラ
２０  ラチェットホイール
２１  ラチェット
２３  係合部
２５  ガイド部材
２６  操作レバー
２８、５８  オイルダンパ
４０  ステージ固定手段
Ｐ  紙幣
【図１】
0004377539.tif 000002
【図２】
0004377539.tif 000003
【図３】
0004377539.tif 000004
【図４】
0004377539.tif 000005
【図５】
0004377539.tif 000006
【図６】
0004377539.tif 000007
【図７】
0004377539.tif 000008